(57)【特許請求の範囲】
【請求項１】
空気調和装置の室内機及びコンセントが設置された部屋に設けられ、
プラグの栓刃が差し込まれる差込口が設けられたコンセントブロックと、
前記部屋内の壁面、床面又は天井面に、表側が当該部屋の内部空間に面して設けられ、前記コンセントブロックが挿通されて前記コンセントブロックの前記差込口を表側に露出させるためのコンセント挿通孔が形成されたカバー部と、
前記カバー部の裏側に設けられ、モーターを有する排気ファンと、を有する排気装置と、
前記部屋内の前記壁面、前記床面又は前記天井面に設けられ、前記部屋の前記内部空間内に外気を導入する給気装置と、を備え、
前記カバー部には、前記排気ファンに対向する位置に、当該カバー部の表側と裏側とを貫通し、かつ、少なくとも一方向に沿った幅が消炎距離以下の貫通孔が形成され、
前記モーターに給電する電気回路の電気接点は、前記カバー部の前記裏側、及び、前記壁面、前記床面又は前記天井面よりも前記内部空間とは反対側の少なくともいずれかの側に配置され、
前記給気装置は、前記排気装置よりも下方に配置された換気システム。
【請求項２】
前記カバー部は、前記部屋内の前記壁面又は前記床面における、前記部屋内の高さの中間位置よりも下側に配置された請求項１に記載の換気システム。
【請求項３】
空気調和装置の室内機が設置された部屋内の壁面、床面又は天井面に、表側が当該部屋の内部空間に面して設けられたカバー部と、
前記カバー部の裏側に設けられ、モーターを有する排気ファンと、を有する排気装置と、
前記部屋内の前記壁面、前記床面又は前記天井面に設けられ、前記部屋の前記内部空間内に外気を導入する給気装置と、を備え、
前記カバー部には、前記排気ファンに対向する位置に、当該カバー部の表側と裏側とを貫通し、かつ、少なくとも一方向に沿った幅が消炎距離以下の貫通孔が形成され、
前記モーターに給電する電気回路の電気接点は、前記カバー部の前記裏側、及び、前記壁面、前記床面又は前記天井面よりも前記内部空間とは反対側の少なくともいずれかの側に配置され、
前記給気装置は、前記排気装置よりも下方に配置された換気システム。
【発明の詳細な説明】
【技術分野】
【０００１】
この発明は、排気装置及び換気システムに関するものである。
【背景技術】
【０００２】
従来における排気装置においては、アンモニア冷媒の冷凍機が設置された機械室内部に、天蓋と排気ダクトと換気扇とを有する強制排気手段を設けたものが知られている（例えば、特許文献１参照）。
【先行技術文献】
【特許文献】
【０００３】
【特許文献１】特開平０５−３１２３７０号公報
【発明の概要】
【発明が解決しようとする課題】
【０００４】
しかしながら、特許文献１に示された従来における排気装置においては、換気扇（排気ファン）を有する強制排気手段が、冷凍機が設置された室内に設けられているため、冷凍機から冷媒が漏洩した場合に、換気扇（排気ファン）を駆動するモーター等に電力を供給するための電気接点と、漏洩した冷媒とが、室内において接触してしまう可能性がある。そして、漏洩した冷媒が可燃性を有する場合、冷媒と接触した状態で、電気接点で電気火花が発生すると、室内で炎が生じる懸念がある。
【０００５】
この発明は、このような課題を解決するためになされたもので、漏洩した冷媒と排気ファンの給電回路の電気接点とが室内において接触することを防止することができ、かつ、漏洩した冷媒と排気ファンに給電する回路の電気接点とが接触して炎が発生した場合であっても、この発生した炎が室内に出ることを防止することができる排気装置及び換気システムを得るものである。
【課題を解決するための手段】
【０００６】
この発明に係る換気システムは、空気調和装置の室内機及びコンセントが設置された部屋に設けられ、プラグの栓刃が差し込まれる差込口が設けられたコンセントブロックと、前記部屋内の壁面、床面又は天井面に、表側が当該部屋の内部空間に面して設けられ、前記コンセントブロックが挿通されて前記コンセントブロックの前記差込口を表側に露出させるためのコンセント挿通孔が形成されたカバー部と、前記カバー部の裏側に設けられ、モーターを有する排気ファンと、を有する排気装置と、前記部屋内の前記壁面、前記床面又は前記天井面に設けられ、前記部屋の前記内部空間内に外気を導入する給気装置と、を備え、前記カバー部には、前記排気ファンに対向する位置に、当該カバー部の表側と裏側とを貫通し、かつ、少なくとも一方向に沿った幅が消炎距離以下の貫通孔が形成され、前記モーターに給電する電気回路の電気接点は、前記カバー部の前記裏側、及び、前記壁面、前記床面又は前記天井面よりも前記内部空間とは反対側の少なくともいずれかの側に配置され、前記給気装置は、前記排気装置よりも下方に配置された構成とする。
【０００７】
また、この発明に係る換気システムは、空気調和装置の室内機が設置された部屋内の壁面、床面又は天井面に、表側が当該部屋の内部空間に面して設けられたカバー部と、前記カバー部の裏側に設けられ、モーターを有する排気ファンと、を有する排気装置と、前記部屋内の前記壁面、前記床面又は前記天井面に設けられ、前記部屋の前記内部空間内に外気を導入する給気装置と、を備え、前記カバー部には、前記排気ファンに対向する位置に、当該カバー部の表側と裏側とを貫通し、かつ、少なくとも一方向に沿った幅が消炎距離以下の貫通孔が形成され、前記モーターに給電する電気回路の電気接点は、前記カバー部の前記裏側、及び、前記壁面、前記床面又は前記天井面よりも前記内部空間とは反対側の少なくともいずれかの側に配置され、前記給気装置は、前記排気装置よりも下方に配置された構成とする。
【発明の効果】
【０００８】
この発明に係る排気装置及び換気システムにおいては、漏洩した冷媒と排気ファンの給電回路の電気接点とが室内において接触することを防止することができ、かつ、漏洩した冷媒と排気ファンのモーターに給電する回路の電気接点とが接触して炎が発生した場合であっても、この発生した炎が室内に出ることを防止することができるという効果を奏する。
【図面の簡単な説明】
【０００９】
【図１】この発明の実施の形態１に係る排気装置が設置された部屋の構成を模式的に示す図である。
【図２】この発明の実施の形態１に係る排気装置の正面図である。
【図３】この発明の実施の形態２に係る排気装置を備えた換気システムが適用された部屋の構成を模式的に示す図である。
【図４】この発明の実施の形態３に係る排気装置の正面図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１及び図２は、この発明の実施の形態１に係るもので、図１は排気装置が設置された部屋の構成を模式的に示す図、図２は排気装置の正面図である。
【００１２】
図１に示すように、この発明の実施の形態１に係る排気装置が設置される部屋１０には、空気調和装置の室外機２０及び室内機３０が設置されている。室外機２０は、部屋１０の外壁１１より外に設置される。室内機３０は、部屋１０の例えば内壁１２の上方寄りの位置に固定されている。このように、室内機３０は、空気調和の対象となる部屋１０の室内に設置され、室外機２０は、当該部屋の室外に設置される。
【００１３】
室外機２０は、室外機熱交換器２１、室外機ファン２２及び圧縮機２３を備えている。室内機３０は、室内機熱交換器３１及び室内機ファン３２を備えている。室内機３０と室外機２０とは冷媒配管４０で接続されている。冷媒配管４０は、室内機熱交換器３１と室外機熱交換器２１との間で循環して設けられている。冷媒配管４０内には冷媒が封入されている。
【００１４】
冷媒配管４０内に封入される冷媒は、地球温暖化係数（ＧＷＰ）の小さいものを用いることが地球環境保護上の観点からいって望ましい。また、冷媒配管４０内に封入される冷媒は、可燃性のガスである。この冷媒は空気よりも平均分子量が大きく（空気に対する比重が１よりも大きく）、空気中では重力方向の下方へと沈んでいく性質を持っている。
【００１５】
このような冷媒として、具体的に例えば、ジフルオロメタン（ＣＨ２Ｆ２：Ｒ３２）、テトラフルオロプロパン（ＣＦ３ＣＦ＝ＣＨ２：ＨＦＯ−１２３４ｙｆ）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）等の中から選ばれる１つ以上の冷媒からなる（混合）冷媒を用いることができる。
【００１６】
圧縮機２３は、室内機熱交換器３１と室外機熱交換器２１との間における冷媒の循環経路の一側に設けられている。圧縮機２３は、供給された冷媒を圧縮して当該冷媒の圧力及び温度を高める機器である。なお、ここでは図示を省略しているが、同循環経路の他側には膨張弁が設けられている。膨張弁は、流入した冷媒を膨張させ、当該冷媒の圧力を低下させる。そして、冷媒配管４０により形成された冷媒の循環経路と、当該循環経路上に冷媒配管４０により接続された、室内機熱交換器３１、室外機熱交換器２１、四方弁、圧縮機２３及び膨張弁により、冷凍サイクル（冷媒回路）が構成されている。
【００１７】
このようにして構成された冷凍サイクルは、室内機熱交換器３１及び室外機熱交換器２１のそれぞれにおいて冷媒と空気の間で熱交換を行うことにより、室内機３０と室外機２０との間で熱を移動させるヒートポンプとして働く。この際、四方弁を切り換えることにより、冷凍サイクルにおける冷媒の循環方向を反転させて冷房運転と暖房運転とを切り換えることができる。
【００１８】
空気調和装置の室内機３０が設置された部屋１０内の壁面、床面又は天井面には、排気装置１００が設置されている。ここでは、排気装置１００は、部屋１０の例えば内壁１２の下寄りの位置に配置されている。排気装置１００は、部屋１０の内壁１２と外壁１１との間に設置される。この際、排気装置１００の前面は部屋１０の内側すなわち内部空間へと露出している。
【００１９】
排気装置１００は、カバー部１１０及び排気ファン１２０を備えている。カバー部１１０は、部屋１０の内部空間へと露出した排気装置１００の前面に設けられている。換言すれば、カバー部１１０は、空気調和装置の室内機３０が設置された部屋１０内の壁面、床面又は天井面に設けられている。以降においては、カバー部１１０の、部屋１０の内部空間に面する側を表側、表側の反対側を裏側とする。すなわち、カバー部１１０は、表側が部屋１０の内部空間に面して設けられている。
【００２０】
排気ファン１２０は、カバー部１１０の裏側に配置されている。排気ファン１２０は、モーター１２１を備えている。モーター１２１は、排気ファン１２０の回転を駆動するためのものである。
【００２１】
図２は、部屋１０の内側から見た排気装置１００の正面図である。この図２に示すように、排気装置１００は、カバー部１１０及びベース部１５０を備えている。カバー部１１０には、貫通孔１４０が形成されている。貫通孔１４０は、カバー部１１０の表側と裏側とを貫通する孔である。したがって、貫通孔１４０によりカバー部１１０の表側と裏側とが通じている。貫通孔１４０は、カバー部１１０の裏側に配置された排気ファン１２０に対向する位置に配置されている。
【００２２】
貫通孔１４０は、少なくとも一方向に沿った幅が消炎距離以下となるように形成される。この実施の形態１で説明する例においては、図２に示すように、貫通孔１４０は、複数のスリット状の開口により構成されている。そして、それぞれのスリットの幅Ｄが、消炎距離以下となるように形成される。
【００２３】
ここで、消炎距離とは、次のような距離のことである。すなわち、２つの平板が対向して孔（スリット）が形成されている場合、対向する平板間の距離が短いと、炎は、これらの平板間を通過できない。この炎が平板間のスリットを通過できない最大の平板間の距離を、消炎距離と呼ぶ。消炎距離は、炎の発熱速度に関連して決まる量である。炎の発熱速度は、燃焼するガス、ここでは冷媒の種類により異なる。このため、消炎距離も、冷媒の種類により異なる。ここでは、貫通孔１４０の各スリットの幅Ｄの基準となる消炎距離は、空気調和装置の冷媒配管４０内に封入された冷媒に合わせた消炎距離とする。
【００２４】
ベース部１５０は、中央に大きく貫通孔が形成された枠状の部材である。前述したように、ここで説明する例では、排気装置１００は部屋１０の内壁１２に設けられている。したがって、ここでは、内壁１２に排気装置１００の大きさに合わせた開口が形成されている。ベース部１５０は、この開口の周縁部に固定されている。そして、ベース部１５０にカバー部１１０が取り付けられて、排気装置１００の前面に設けられたカバー部１１０の表側が、部屋１０の内部空間へと露出される。
【００２５】
前述したように、排気ファン１２０は、カバー部１１０の裏側に配置されており、ここでは、排気ファン１２０は、部屋１０の内壁１２と外壁１１との間に配置される。排気ファン１２０のモーター１２１には、給電配線１２２が接続されている。給電配線１２２は、モーター１２１に給電する電気回路を構成している。給電配線１２２は、部屋１０の内壁１２と外壁１１との間に配置されている。
【００２６】
また、部屋１０の例えば内壁１２には、モーター１２１への給電をオン／オフするスイッチ１２３が設けられている。部屋１０の内部空間にいる者がスイッチ１２３を操作することで、モーター１２１への給電をオン／オフし、排気ファン１２０を回転させたり停止させたりすることができる。
【００２７】
モーター１２１に給電する電気回路である給電配線１２２には、電気接点が存在する。例えば、モーター１２１のケーシング内部から延びるリード線と給電配線１２２との接続部位には、第１の電気接点１３１が存在する。また、スイッチ１２３により給電配線１２２が開放／閉成される部位には、第２の電気接点１３２が存在する。
【００２８】
そして、モーター１２１に給電する電気回路の電気接点（ここでは、第１の電気接点１３１及び第２の電気接点１３２）は、カバー部１１０の裏側、及び、部屋１０の壁面、床面又は天井面よりも、部屋１０の内部空間とは反対側の少なくともいずれかの側に配置されている。例えば、第１の電気接点１３１は、カバー部１１０の裏側であって、かつ、部屋１０の内壁１２の壁面よりも、部屋１０の内部空間とは反対側に配置されている。また、第２の電気接点１３２は、部屋１０の内壁１２の壁面よりも、部屋１０の内部空間とは反対側に配置されている。
【００２９】
以上のように構成された排気装置１００においては、モーター１２１を有する排気ファン１２０がカバー部１１０の裏側に配置されている。そして、モーター１２１に給電する電気回路の第１の電気接点１３１及び第２の電気接点１３２は、カバー部１１０の裏側、及び、部屋１０の壁面、床面又は天井面よりも、部屋１０の内部空間とは反対側の少なくともいずれかの側に配置されている。このため、部屋１０の内壁面の外側すなわち部屋１０の内部空間の外側にモーター１２１が配置され、かつ、モーター１２１に電力を供給するための全ての電気接点も部屋１０の内部空間の外側に配置される。
【００３０】
したがって、室内機３０から冷媒が漏洩した場合に、漏洩した冷媒と排気ファン１２０に給電する電気回路の電気接点とが、部屋１０の内部空間において接触することを防止することができる。また、排気装置１００のカバー部１１０に形成された貫通孔１４０の少なくとも一方向に沿った幅Ｄを冷媒の消炎距離以下とすることで、仮に漏洩した冷媒とモーター１２１に給電する電気回路の電気接点との接触により、炎が発生したとしても、この発生した炎が貫通孔１４０からカバー部１１０の表側へと出ることがない。すなわち、炎はカバー部１１０の裏側に封じられ、万が一の場合であっても炎が部屋１０の内部空間へと出ることを防止することができる。
【００３１】
さらに、カバー部１１０は、部屋１０内の壁面又は床面における、部屋１０内の高さの中間位置よりも下側に配置するようにしてもよい。特に冷媒の空気に対する比重が１よりも大きい場合、部屋１０内に漏洩した冷媒は鉛直下方に流れることから排気装置１００の位置にまで冷媒が達しやすい。したがって、早期に排気装置１００から、部屋１０内に漏洩した冷媒を部屋１０の外部へと排出することができる。
【００３２】
また、冷媒の空気に対する比重が１よりも大きい場合には、漏洩した冷媒は室内機３０から下方へと流れる。このため、排気装置１００は、室内機３０よりも鉛直下方側に配置されていることが望ましい。
【００３３】
なお、以上においては、この発明に係る排気装置１００が設けられる部屋１０に設置されている冷凍サイクル装置は空気調和装置である場合の例について説明した。しかし、この発明に係る排気装置１００が設けられる部屋１０に設置される冷凍サイクル装置は空気調和装置に限られない。封入された冷媒を用いる冷凍サイクルを備えた装置であればよく、他に例えば、給湯器、ショーケース、あるいは冷蔵庫等であってもよい。
【００３４】
ここで、以上で説明したこの発明の実施の形態１に係る排気装置１００が備えるカバー部１１０の貫通孔１４０の形状について補足説明する。前述したように、貫通孔１４０は、少なくとも一方向に沿った幅が消炎距離以下となるように形成された１又は複数の孔により構成されている。そして、このような貫通孔１４０の例として、図２では、それぞれのスリットの幅Ｄが消炎距離以下となるように形成された複数の縦スリット状の孔により構成される場合について示した。
【００３５】
しかし、少なくとも一方向に沿った幅が消炎距離以下となるような孔の集合からなる貫通孔１４０の形態は、この例に限られない。まず、例えば、図２に示す例とスリットの向きを異なるようにし、すなわち、それぞれのスリットの幅Ｄが消炎距離以下となるように形成された複数の横スリット状の孔により貫通孔１４０を構成してもよい。
【００３６】
また、図２では、複数のスリット状の孔のそれぞれの長さを同一のものとし、貫通孔１４０の全体としての外形が矩形状となるようにしていたが、複数のスリット状の孔のそれぞれの長さを変化させて、貫通孔１４０の全体としての外形が例えば円形状となるようにしてもよい。
【００３７】
また、貫通孔１４０を構成する各孔の形状をスリット状ではなく、例えば、縦幅及び横幅がいずれもＤである正方形状としてもよい。この際の縦幅Ｄ及び横幅Ｄは、冷媒の消炎距離以下となるように設定される。さらに、貫通孔１４０を構成する各孔の形状を直径がＤの円形状にしてもよい。直径Ｄは冷媒の消炎距離以下である。前述したように、貫通孔１４０を構成する孔のそれぞれについて、少なくとも一方向に沿った幅が消炎距離以下であればよく、二方向以上に沿った幅が消炎距離以下となることは妨げられない。
【００３８】
実施の形態２．
図３は、この発明の実施の形態２に係るもので、排気装置を備えた換気システムが適用された部屋の構成を模式的に示す図である。
【００３９】
ここで説明する実施の形態２は、前述した実施の形態１の排気装置１００に加えて給気装置２００を備えて、換気システムを構成するようにしたものである。以下、この実施の形態２に係る排気装置について、実施の形態１との相違点を中心に説明する。
【００４０】
すなわち、この実施の形態２においては、実施の形態１と同じく冷凍サイクル装置である空気調和装置の室内機３０が設置された部屋１０に、換気システムが設けられている。そして、この発明の実施の形態２に係る換気システムは、排気装置１００及び給気装置２００を備えている。排気装置１００は、前述した実施の形態１と同様の構成である。
【００４１】
給気装置２００は、部屋１０内の壁面、床面又は天井面に設けられている。給気装置２００は、部屋１０の内部空間内に外気を導入するためのものである。給気装置２００には、給気口２１０が形成されている。給気口２１０は、部屋１０の外壁１１と内壁１２とを貫通して設けられている。給気装置２００は、給気口２１０を通じて部屋１０の外側の空気を部屋１０の内部空間内へと導入する。
なお、他の構成については実施の形態１と同様であって、その詳細説明は省略する。
【００４２】
このようにして、排気装置１００に加えて給気装置２００を備えた換気システムを構成することで、室内機３０から部屋１０内に冷媒が漏洩した場合に、前述した実施の形態１と同様の効果を奏することができるのに加えて、さらに、給気装置２００による給気と排気装置１００による排気とを同時に行って、より効率的に部屋１０内の換気を行うことができる。すなわち、給気装置２００により新鮮な外気を部屋１０内に導入しつつ、排気装置１００から部屋１０内に漏洩した冷媒を、より迅速に部屋１０の外部へと排出することができる。
【００４３】
なお、この際、給気装置２００が設置される高さと排気装置１００が設置される高さとが等しい場合、給気装置２００から部屋１０内に導入された空気が、鉛直方向にはあまり流れずにその高さを維持したまま水平方向に流れて排気装置１００から排気されるという空気の流れが卓越しやすくなる。一方、給気装置２００が設置される高さと排気装置１００が設置される高さとが異なるように、排気装置１００及び給気装置２００を配置した場合には、部屋１０内に鉛直方向の空気の流れが生成されやすくすることができる。
【００４４】
したがって、排気装置１００及び給気装置２００をそれぞれの高さ位置が異なるように配置することで、水平方向のみならず鉛直方向の空気の流れを生成して、部屋１０内の空気をより撹拌し、冷媒が滞留して部屋１０内に冷媒濃度が高い領域が形成されることを抑制することができる。
【００４５】
特に、前述したように冷媒の空気に対する比重が１よりも大きい場合、部屋１０内に漏洩した冷媒が鉛直下方に溜まり冷媒濃度の大きい領域が生じやすい。したがって、この場合には、給気装置２００を、排気装置１００よりも鉛直下方に配置されるようにすることで、部屋１０内に鉛直上向きの上昇気流を生成して、鉛直下方に流れる冷媒をより拡散させ、冷媒濃度の大きい領域が生じることをより効果的に抑制することができる。
【００４６】
実施の形態３．
図４は、この発明の実施の形態３に係るもので、排気装置の正面図である。
ここで説明する実施の形態３は、前述した実施の形態１又は実施の形態２の構成において、排気装置１００を部屋１０のコンセントに設けるようにしたものである。以下、この実施の形態３に係る排気装置について、実施の形態１又は実施の形態２との相違点を中心に説明する。
【００４７】
この実施の形態３に係る排気装置１００は、前述した実施の形態１又は実施の形様２と同様に、空気調和装置の室内機３０が設置された部屋１０内の壁面、床面又は天井面に設置されている。そして、この実施の形態３においては、図４に示すように、排気装置１００に、コンセントブロック３００が設けられている。
【００４８】
コンセントブロック３００の前面には、差込口３１０が形成されている。差込口３１０は、プラグに設けられた一対の栓刃が差し込まれる開口である。差込口３１０の内側にはプラグの栓刃と電気的に接触する刃受部（図示せず）が設けられている。
【００４９】
カバー部１１０には、実施の形態１で説明した貫通孔１４０とは別にコンセント挿通孔１４１が形成されている。コンセント挿通孔１４１は、貫通孔１４０と同じくカバー部１１０の表側と裏側とを貫通している。また、コンセント挿通孔１４１は、コンセントブロック３００の前面側の外形と同形状である。そして、コンセントブロック３００がコンセント挿通孔１４１に挿通されることで、図４に示すように、コンセントブロック３００の前面に形成された差込口３１０が、カバー部１１０の表側へと露出される。
なお、他の構成については実施の形態１又は実施の形態２と同様であって、その詳細説明は省略する。
【００５０】
以上のように構成された排気装置１００、又は、排気装置１００を備えた換気システムにおいては、実施の形態１又は実施の形態２と同様の効果を奏することができるのに加えて、コンセントに排気ファン１２０を設けて排気装置１００を構成することで、排気装置１００の設置に必要な壁面等の加工の手間とカバー部１１０等の部材とについて、コンセントと排気装置１００とで共通化することができ、設置に必要な手間及び部材等を節約できる。
【００５１】
また、前述したように、特に冷媒の空気に対する比重が１よりも大きい場合には、部屋１０内の高さの中間位置よりも下側に配置することが望ましい。一般にコンセントは部屋１０の壁面の下方寄りに配置されることが多いため、コンセントに排気装置１００を設けるようにすることで、自然に排気装置１００が部屋１０内の高さの中間位置よりも下側に配置することが可能となる。
【符号の説明】
【００５２】
１０    部屋
１１    外壁
１２    内壁
２０    室外機
２１    室外機熱交換器
２２    室外機ファン
２３    圧縮機
３０    室内機
３１    室内機熱交換器
３２    室内機ファン
４０    冷媒配管
１００    排気装置
１１０    カバー部
１２０    排気ファン
１２１    モーター
１２２    給電配線
１２３    スイッチ
１３１    第１の電気接点
１３２    第２の電気接点
１４０    貫通孔
１４１    コンセント挿通孔
１５０    ベース部
２００    給気装置
２１０    給気口
３００    コンセントブロック
３１０    差込口
【図１】
0006399044.tif 000002
【図２】
0006399044.tif 000003
【図３】
0006399044.tif 000004
【図４】
0006399044.tif 000005